(57)【特許請求の範囲】
【請求項１】
系統電源と負荷の間に挿入され、スイッチと該スイッチを開にする引き外しコイルと該スイッチを閉にする投入コイルを有するラッチタイプの第１のリレーと、
蓄電池と前記負荷の間に挿入された充電及び放電部を有する蓄電システムと、
接点及び該接点を開閉する操作コイルを有し、前記操作コイルが前記第１のリレーのスイッチと前記負荷とを接続する電力線に対して接続された非ラッチタイプの第２のリレーと、
前記第１のリレーに対して前記第２のリレーの前記接点を介して接続された制御回路と
を備えた電力供給装置。
【請求項２】
前記負荷は、停電時に電力を供給する必要がある負荷である請求項１に記載の電力供給装置。
【請求項３】
前記制御回路が前記第２のリレーの前記接点を介して前記第１のリレーの前記引き外しコイルを通電するようにした請求項１に記載の電力供給装置。
【請求項４】
前記第１のリレーの前記投入コイルが前記系統電源に接続された請求項１に記載の電力供給装置。
【請求項５】
前記系統電源と前記負荷の間に、分散電源が接続される請求項１に記載の電力供給装置。
【請求項６】
前記分散電源を前記制御回路の電源とする請求項５に記載の電力供給装置。
【請求項７】
前記蓄電システムの前記蓄電池を前記制御回路の電源とする請求項１に記載の電力供給装置。
【請求項８】
前記系統電源を前記制御回路の電源とする請求項１に記載の電力供給装置。
【発明の詳細な説明】
【技術分野】
【０００１】
本技術は  停電時でも負荷に対して電力を供給することができる電力供給装置に関する。
【背景技術】
【０００２】
系統電源の停電時に負荷に対して蓄電システムによって電力を供給することができる電源装置が知られている。この種の電力供給装置では、停電時に系統電源と負荷をスイッチによって切り離し、双方向変換装置の自立運転を開始し、蓄電池から電力を負荷に供給するようになされる。さらに、停電が復旧する復電時には、自立運転を停止してからスイッチが閉じられる。スイッチは、制御回路によって制御される。【０００３】
特許文献１には、かかる蓄電システムを有する電力供給装置において、停電等が発生した場合に、系統電源を使用しないで所定の負荷に蓄電システムから電力を供給する自立状態に切り替えることが記載されている。すなわち、ラッチタイプのリレーを使用して負荷に対する電力の供給をオン／オフするようになされている。
【先行技術文献】
【特許文献】
【０００４】
【特許文献１】特開２０１０−６８６７４号公報
【発明の概要】
【発明が解決しようとする課題】
【０００５】
特許文献１では、制御回路の故障時には、リレーのコイルに電流が流れないとしている。しかしながら、制御回路の誤作動によってコイルに電流が流れることがあり、その結果、スイッチの遮断で負荷に対する電力供給が断たれたり、自立運転中にスイッチが閉じて双方向変換装置が故障したりするおそれがあった。【０００６】
したがって、本技術は、制御回路が誤作動した場合でもリレーのコイルに電流が流れることを確実に防止することができる電力供給装置を提供するものである。
【課題を解決するための手段】
【０００７】
本技術は、系統電源と負荷の間に挿入され、スイッチと該スイッチを開にする引き外しコイルと該スイッチを閉にする投入コイルを有するラッチタイプの第１のリレーと、
蓄電池と負荷の間に挿入された充電及び放電部を有する蓄電システムと、
接点及び該接点を開閉する操作コイルを有し、操作コイルが第１のリレーのスイッチと負荷とを接続する電力線に対して接続された非ラッチタイプの第２のリレーと、
第１のリレーに対して第２のリレーの接点を介して接続された制御回路と
を備えた電力供給装置である。
【発明の効果】
【０００９】
少なくとも一つの実施形態によれば、制御回路が誤作動しても、リレーの投入コイル又は引き外しコイルに対して電流が流れることを確実に防止でき、負荷に対する電力供給が断たれたり、自立運転中にスイッチが閉じて双方向変換装置が故障したりする誤動作を防止することができる。なお、ここに記載された効果は必ずしも限定されるものではなく、本技術中に記載されたいずれかの効果又は異質な効果であっても良い。
【図面の簡単な説明】
【００１０】
【図１】本技術の一実施の形態のブロック図である。
【図２】一実施の形態の動作を説明するために使用するタイミングチャートである。
【図３】一実施の形態において制御回路に対する電源供給を説明するためのブロック図である。
【図４】本技術の他の実施の形態のブロック図である。
【図５】本技術が適用された住宅用の蓄電システムを示す概略図である。
【発明を実施するための形態】
【００１１】
以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。
なお、本技術の説明は、下記の順序にしたがってなされる。
＜１．一実施の形態＞
＜２．他の実施の形態＞
＜３．応用例＞
＜４．変形例＞
【００１２】
＜１．一実施の形態＞
「一実施の形態の構成」
図１に示すように、本技術の一実施の形態による電力供給装置は、系統電源１、分散電源２及び蓄電システム３を備えている。系統電源１は電力会社が提供する電源である。分散電源２は自然エネルギー例えば太陽光を利用した発電装置２ａとＰＣＳ（パワーコンディショナ）２ｂを有する。
【００１３】
系統電源１と接続され、配線されている電力線４に対して、一般負荷５、スイッチＳＷ及び停電検知器６が接続される。スイッチＳＷから延びる電力線７に対して分散電源２及び特定負荷８が接続される。スイッチＳＷは、電力線４及び電力線７の間の電力伝送を遮断又は接続するものである。すなわち、スイッチＳＷによって系統電源１と特定負荷８の接続が開閉（ＯＮ／ＯＦＦ）される。特定負荷８は、停電時に電力を供給する必要のある所定の負荷である。一般負荷５は、停電時に電力を供給する必要がない負荷である。
【００１４】
電力線４に対して接続された停電検知器６は、例えば電力メータである。停電検知器６が電力線４の電力を測定し、規定の電力が電力線４に存在しているかどうかを検出する。すなわち、停電検知器６が系統電源の異常を検出する。電圧、電流、周波数等を測定して系統電源の異常を検出するようにしてもよい。停電検知器６の検出信号が蓄電システム３の制御回路１１に対して供給される。なお、図示しないが、電力線４に対してＯＶＧＲ（Ground Over Voltage Relay:地絡保護装置）及びＲＰＲ（Reverse Power flow Relay:逆潮流リレー）を接続してもよい。ＯＶＧＲは、系統が正常か異常かを監視する装置である。ＲＰＲは、蓄電池９から逆潮流できないので、蓄電池９から逆潮流しないように監視する装置である。
【００１５】
スイッチＳＷは、ラッチタイプのリレーＲＬ１の接点である。リレーＲＬ１は、投入コイルＬ１及び引き外しコイルＬ２に対する通電の態様によってスイッチＳＷを開閉する。すなわち、投入コイルＬ１に電流を流すことによってスイッチＳＷが閉（ＯＮ）となり、その後電流を止めてもスイッチＳＷは閉を維持し、引き外しコイルＬ２に電流を流すことによってスイッチＳＷが開（ＯＦＦ）となり、電流を止めてもスイッチＳＷは開を維持する。
【００１６】
蓄電システム３は、蓄電池９と、双方向変換装置１０及び制御回路１１を有している。蓄電池９は、直列及び／又は並列に接続された多数の電池セルを有する。電池セルとしては、例えばリチウムイオン二次電池が使用される。リチウムイオン二次電池以外の充電可能な電池セルを使用してもよい。なお、制御回路１１は双方向変換装置１０に設けられていてもよい。
【００１７】
双方向変換装置１０は、蓄電池９に対する充電回路の構成と放電回路の構成が共通化されたものである。別々の充電回路及び放電回路を並列に接続した構成を双方向変換装置に代えて使用してもよい。双方向変換装置１０の電力入出力部が電力線７と接続される。制御回路１１は、スイッチＳＷ、蓄電池９及び双方向変換装置１０を制御する。双方向変換装置１０は、制御回路１１によって充電動作、放電動作、充放電停止状態の何れかに制御される。制御回路１１に対して停電検知器６からの検出信号が供給される。
【００１８】
制御回路１１に対してリレーＲＬ１の投入コイルＬ１及び引き外しコイルＬ２が接続され、これらのコイルに対して制御回路１１が電流を流すようになされている。制御回路１１と投入コイルＬ１及び引き外しコイルＬ２の間に第２のリレーＲＬ２の接点Ｓが挿入される。リレーＲＬ２は、非ラッチタイプのリレーであって、操作コイルＬ３に対する通電によって接点Ｓの開閉（オン／オフ）が制御される。ここで、接点ＳはＢ接点である。Ｂ接点は、通常（操作コイルＬ３に電流が流れていない状態）で閉（ＯＮ）である。操作コイルＬ３に電流が流れると、接点Ｓが開（ＯＦＦ）となる。操作コイルＬ３に対する電流が止まると、接点Ｓが閉じる。なお、Ａ接点は、Ｂ接点と逆に、通常は、開（ＯＦＦ）の接点である。
【００１９】
リレーＲＬ２の操作コイルＬ３が電力線７に対して接続されている。なお、電力線７の交流信号を直流に変換して操作コイルＬ３に電流を流すようにしている。したがって、系統電源１が正常な場合では、操作コイルＬ３に電流が流れ、接点Ｓが開である。接点Ｓが開の場合には、制御回路１１がリレーＲＬ１の投入コイルＬ１及び引き外しコイルＬ２に対して電流を流すことができない。
【００２０】
「一実施の形態の動作」
上述した一実施の形態の制御回路１１の制御によってなされる動作について説明する。系統電源１が正常に供給されている場合には、スイッチＳＷが閉であり、系統電源１から特定負荷８に対して電力が供給されている。また、リレーＲＬ２の接点Ｓが開であるので、制御回路１１が誤作動したとしても引き外しコイルＬ２に電流を流すことがない。したがって、制御回路１１が誤作動しても特定負荷８に対する電力供給が断たれない。
【００２１】
系統電源１が正常でない場合（停電等）には、リレーＲＬ２の操作コイルＬ３に対する電流が流れなくなるので、接点Ｓが閉となる。停電検知器６が停電を検知して制御回路１１に停電の発生を伝えるので、リレーＲＬ１の引き外しコイルＬ２に対して電流を流す。したがって、スイッチＳＷが開となり、系統電源１と特定負荷８とが切り離される。その後に、制御回路１１が双方向変換装置１０の出力をＯＮとし、蓄電池９から特定負荷８に対して電力が供給される（自立運転）。
【００２２】
スイッチＳＷが開の状態で、自立運転によって特定負荷８に電力を供給している場合では、接点Ｓが開となっている。したがって、制御回路１１が誤作動しても、リレーＲＬ１の投入コイルＬ１に電流が流れない。この結果、自立運転中に系統電源１に対する逆流や、双方向変換装置１０に系統電源１が加わることにより双方向変換装置１０が故障することを防止することができる。
【００２３】
復電を停電検知器６が検知して制御回路１１に復電を伝えると双方向変換装置１０の出力がＯＦＦとなる。その結果、操作コイルＬ３に対する電流が流れなくなるので、接点ＳＷが閉となる。制御回路１１が投入コイルＬ１に電流を流すことによってスイッチＳＷが閉となり、系統電源１から特定負荷８に対して電力が供給され、停電前の状態に戻る。
【００２４】
図２の動作シーケンスを参照してさらに動作について説明する。図２の上から順に下記の動作が示されている。
「特定負荷」のシーケンスにおいて、ハイレベルが電力の供給を表し、ローレベルが電力の遮断を表す。
「系統」のシーケンスにおいて、ハイレベルが正常を表し、ローレベルが停電等の異常を表す。
「自立出力」のシーケンスにおいて、ハイレベルがＯＮを表し、ローレベルがＯＦＦを表す。
【００２５】
「リレーＲＬ２」のシーケンスにおいて、ハイレベルが開を表し、ローレベルが閉を表す。
「ＳＷ」のシーケンスにおいて、ハイレベルが閉を表し、ローレベルが開を表す。
「引き外し操作」のシーケンスにおいて、ハイレベルが引き外しコイルＬ２に対して電流が流れることを表し、ローレベルが引き外しコイルＬ２に対して電流が流れないことを表す。
「投入操作」のシーケンスにおいて、ハイレベルが投入コイルＬ１に対して電流が流れることを表し、ローレベルが投入コイルＬ１に対して電流が流れないことを表す。
【００２６】
図２の動作シーケンスの最初の状態は正常を表し、各シーケンスが下記の状態となる。
「特定負荷」のシーケンス：ハイレベル（電力の供給）
「系統」のシーケンス：ハイレベル（正常）
「自立出力」のシーケンス：ローレベル（ＯＦＦ）
「リレーＲＬ２」のシーケンス：ハイレベル（開）
「ＳＷ」のシーケンス：ハイレベル（閉）
「引き外し操作」のシーケンス：ローレベル（引き外しコイルＬ２に対して電流が流れない）
「投入操作」のシーケンス：ローレベル（投入コイルＬ１に対して電流が流れない）
【００２７】
次の停電直後の状態では、各シーケンスが下記の状態となる。
「特定負荷」のシーケンス：ローレベル（電力の遮断）
「系統」のシーケンス：ローレベル（停電）
「自立出力」のシーケンス：ローレベル（ＯＦＦ）
「リレーＲＬ２」のシーケンス：ローレベル（閉）
「ＳＷ」のシーケンス：ハイレベル（閉）
「引き外し操作」のシーケンス：ハイレベル（引き外しコイルＬ２に対して電流が流れる）
「投入操作」のシーケンス：ローレベル（投入コイルＬ１に対して電流が流れない）
【００２８】
停電直後を経過した後の停電状態では、各シーケンスが下記の状態となる。
「特定負荷」のシーケンス：ハイレベル（電力の供給）
「系統」のシーケンス：ローレベル（停電）
「自立出力」のシーケンス：ハイレベル（ＯＮ）
「リレーＲＬ２」のシーケンス：ハイレベル（開）
「ＳＷ」のシーケンス：ローレベル（開）
「引き外し操作」のシーケンス：ローレベル（引き外しコイルＬ２に対して電流が流れない。ラッチタイプのためにスイッチＳＷの状態は変化しない。）
「投入操作」のシーケンス：ローレベル（投入コイルＬ１に対して電流が流れない。）
【００２９】
この停電状態において、破線で示すように、制御回路１１が誤作動して投入コイルＬ１に対して電流を流そうとした場合、接点Ｓが開であるため、投入コイルＬ１に対して電流を流すことできない。したがって、スイッチＳＷが開の状態を維持する。その結果、自立運転中に系統電源１が接続されることによる誤動作を防止することができる。
【００３０】
復電状態となった直後では、各シーケンスが下記の状態となる。
「特定負荷」のシーケンス：ローレベル（電力の遮断）
「系統」のシーケンス：ハイレベル（正常）
「自立出力」のシーケンス：ローレベル（ＯＦＦ）
「リレーＲＬ２」のシーケンス：ローレベル（閉）
「ＳＷ」のシーケンス：ローレベル（開）
「引き外し操作」のシーケンス：ローレベル（引き外しコイルＬ２に対して電流が流れない。ラッチタイプのためにスイッチＳＷの状態は変化しない。）
「投入操作」のシーケンス：ハイレベル（投入コイルＬ１に対して電流が流れる。）
【００３１】
復電直後を経過した後の復電状態では、各シーケンスが下記の状態となる。
「特定負荷」のシーケンス：ハイレベル（電力の供給）
「系統」のシーケンス：ハイレベル（正常）
「自立出力」のシーケンス：ローレベル（ＯＦＦ）
「リレーＲＬ２」のシーケンス：ハイレベル（開）
「ＳＷ」のシーケンス：ハイレベル（閉）
「引き外し操作」のシーケンス：ローレベル（引き外しコイルＬ２に対して電流が流れない。ラッチタイプのためにスイッチＳＷの状態は変化しない。）
「投入操作」のシーケンス：ローレベル（投入コイルＬ１に対して電流が流れない）
【００３２】
この復旧状態において、破線で示すように、制御回路１１が誤作動して引き外しコイルＬ２に対して電流を流そうとした場合、接点Ｓが開であるため、引き外しコイルＬ２に対して電流を流すことできない。したがって、スイッチＳＷが閉の状態を維持する。その結果、復旧状態でスイッチＳＷが開となり、系統電源１と特定負荷８の接続が断たれる誤動作を防止することができる。
【００３３】
図３を参照して制御回路１１に対する電源の供給について説明する。制御回路１１に対する電源は、蓄電池９からＤＣ−ＤＣコンバータ２１を介して供給される。この構成において、停電等により特定負荷８に対し自立出力を行うと蓄電池９の残量は減少していく。本技術ではラッチタイプのリレーＲＬ１を採用しているため、復電時に系統電源１と特定負荷８を再接続するには制御回路１１が機能する必要がある。この点を考慮して、蓄電池９の残量が一定以上低下した場合に自立出力を停止し、復電待ち待機の状態とする。その結果、蓄電池９の残量が制御回路１１の動作を保証できる程度確保できる。
【００３４】
第２の例として、制御回路１１に対して蓄電池９からＤＣ−ＤＣコンバータ２１を介して電源を供給すると共に、系統電源１からＡＣ−ＤＣコンバータ２２を介して電源を供給する。このようにすれば、蓄電池９が空の状態でも復電時には制御回路１１が機能することができる。
【００３５】
第３の例として、制御回路１１に対して蓄電池９からＤＣ−ＤＣコンバータ２１を介して電源を供給すると共に、分散電源２からＡＣ−ＤＣコンバータ２３を介して電源を供給する。このようにすれば、蓄電池９が空の状態でも復電時には制御回路１１が機能することができる。好ましくは、第２の例又は第３の例の電源の構成が採用される。分散電源が直流発電の場合はＡＣ−ＤＣコンバータの代わりにＤＣ−ＤＣコンバータを用いることができる。
【００３６】
＜２．他の実施の形態＞
図４を参照して本技術の他の実施の形態について説明する。上述した一実施の形態と比較すると、第２のリレーＲＬ２として、接点Ｓ及びＳ'を有する２接点タイプのものを使用する。制御回路１１に対して接点Ｓを介して引き外しコイルＬ２が接続される。投入コイルＬ１が系統電源１と第２のリレーＲＬ２の間に接点Ｓ'を介して接続される。
【００３７】
この構成によれば投入コイルＬ１に対して電流を流すことができ、スイッチＳＷを閉とすることができる。したがって、蓄電池９が空になり、蓄電システム３が停止し、制御回路１１が機能していない状況においても、復電の際にスイッチＳＷが閉となり、特定負荷８に対する給電と同時に蓄電システム３の復旧ができる。
【００３８】
＜３．応用例＞
「応用例としての住宅における蓄電システム」
本開示を住宅用の蓄電システムに適用した例について、図５を参照して説明する。例えば住宅９００１用の蓄電システム９１００においては、火力発電９００２ａ、原子力発電９００２ｂ、水力発電９００２ｃ等の集中型電力系統９００２から電力網９００９、情報網９０１２、スマートメータ９００７、パワーハブ９００８等を介し、電力が蓄電装置９００３に供給される。
これと共に、家庭内発電装置９００４等の独立電源から電力が蓄電装置９００３に供給される。蓄電装置９００３に供給された電力が蓄電される。蓄電装置９００３を使用して、住宅９００１で使用する電力が給電される。住宅９００１に限らずビルに関しても同様の蓄電システムを使用できる。
【００３９】
住宅９００１には、発電装置９００４、電力消費装置９００５、蓄電装置９００３、各装置を制御する制御装置９０１０、スマートメータ９００７、各種情報を取得するセンサー９０１１が設けられている。各装置は、電力網９００９および情報網９０１２によって接続されている。発電装置９００４として、太陽電池、燃料電池等が利用され、発電した電力が電力消費装置９００５および／または蓄電装置９００３に供給される。電力消費装置９００５は、冷蔵庫９００５ａ、空調装置９００５ｂ、テレビジョン受信機９００５ｃ、風呂９００５ｄ等である。さらに、電力消費装置９００５には、電動車両９００６が含まれる。電動車両９００６は、電気自動車９００６ａ、ハイブリッドカー９００６ｂ、電気バイク９００６ｃである。
【００４０】
蓄電装置９００３に対して、上述した本開示のバッテリユニットが適用される。蓄電装置９００３は、二次電池又はキャパシタから構成されている。例えば、リチウムイオン電池によって構成されている。リチウムイオン電池は、定置型であっても、電動車両９００６で使用されるものでも良い。スマートメータ９００７は、商用電力の使用量を測定し、測定された使用量を、電力会社に送信する機能を備えている。電力網９００９は、直流給電、交流給電、非接触給電の何れか一つまたは複数を組み合わせても良い。
【００４１】
各種のセンサー９０１１は、例えば人感センサー、照度センサー、物体検知センサー、消費電力センサー、振動センサー、接触センサー、温度センサー、赤外線センサー等である。各種センサー９０１１により取得された情報は、制御装置９０１０に送信される。センサー９０１１からの情報によって、気象の状態、人の状態等が把握されて電力消費装置９００５を自動的に制御してエネルギー消費を最小とすることができる。さらに、制御装置９０１０は、住宅９００１に関する情報をインターネットを介して外部の電力会社等に送信することができる。
【００４２】
パワーハブ９１０８によって、電力線の分岐、直流交流変換などの処理がなされる。制御装置９０１０と接続される情報網９０１２の通信方式としては、ＵＡＲＴ（Universal Asynchronous Receiver-Transmitter：非同期シリアル通信用送受信回路）などの通信インターフェースを使う方法、Ｂｌｕｅｔｏｏｔｈ（登録商標）、ＺｉｇＢｅｅ（登録商標）、Ｗｉ−Ｆｉなどの無線通信規格によるセンサーネットワークを利用する方法がある。Ｂｌｕｅｔｏｏｔｈ（登録商標）方式は、マルチメディア通信に適用され、一対多接続の通信を行うことができる。ＺｉｇＢｅｅ（登録商標）は、ＩＥＥＥ（Institute of Electrical and Electronics Engineers)８０２．１５．４の物理層を使用するものである。ＩＥＥＥ８０２．１５．４は、ＰＡＮ（Personal Area Network）又はＷ（Wireless)ＰＡＮと呼ばれる短距離無線ネットワーク規格の名称である。
【００４３】
制御装置９０１０は、外部のサーバ９０１３と接続されている。このサーバ９０１３は、住宅９００１、電力会社、サービスプロバイダーの何れかによって管理されていても良い。サーバ９０１３が送受信する情報は、たとえば、消費電力情報、生活パターン情報、電力料金、天気情報、天災情報、電力取引に関する情報である。これらの情報は、家庭内の電力消費装置（たとえばテレビジョン受信機）から送受信しても良いが、家庭外の装置（たとえば、携帯電話機等）から送受信しても良い。これらの情報は、表示機能を持つ機器、たとえば、テレビジョン受信機、携帯電話機、ＰＤＡ(Personal Digital Assistants)等に、表示されても良い。
【００４４】
各部を制御する制御装置９０１０は、ＣＰＵ（Central Processing Unit ）、ＲＡＭ（Random Access Memory）、ＲＯＭ（Read Only Memory）等で構成され、この例では、蓄電装置９００３に格納されている。制御装置９０１０は、蓄電装置９００３、家庭内発電装置９００４、電力消費装置９００５、各種センサー９０１１、サーバ９０１３と情報網９０１２により接続され、例えば、商用電力の使用量と、発電量とを調整する機能を有している。なお、その他にも、電力市場で電力取引を行う機能等を備えていても良い。
【００４５】
以上のように、電力が火力９００２ａ、原子力９００２ｂ、水力９００２ｃ等の集中型電力系統９００２のみならず、家庭内発電装置９００４（太陽光発電、風力発電）の発電電力を蓄電装置９００３に蓄えることができる。したがって、家庭内発電装置９００４の発電電力が変動しても、外部に送出する電力量を一定にしたり、または、必要なだけ放電するといった制御を行うことができる。例えば、太陽光発電で得られた電力を蓄電装置９００３に蓄えると共に、夜間は料金が安い深夜電力を蓄電装置９００３に蓄え、昼間の料金が高い時間帯に蓄電装置９００３によって蓄電した電力を放電して利用するといった使い方もできる。
【００４６】
なお、この例では、制御装置９０１０が蓄電装置９００３内に格納される例を説明したが、スマートメータ９００７内に格納されても良いし、単独で構成されていても良い。さらに、蓄電システム９１００は、集合住宅における複数の家庭を対象として用いられてもよいし、複数の戸建て住宅を対象として用いられてもよい。
【００４７】
＜４．変形例＞
以上、本技術の一実施の形態について具体的に説明したが、本技術は、上述の一実施の形態に限定されるものではなく、本技術の技術的思想に基づく各種の変形が可能である。例えば、上述の実施形態において挙げた構成、方法、工程、形状、材料及び数値などはあくまでも例に過ぎず、必要に応じてこれと異なる構成、方法、工程、形状、材料及び数値などを用いてもよい。
【符号の説明】
【００４９】
ＲＬ１，ＲＬ２・・・リレー
Ｌ１・・・投入コイル
Ｌ２・・・引き外しコイル
Ｌ３・・・操作コイル
ＳＷ・・・スイッチ
Ｓ，Ｓ'・・・接点
１・・・系統電源
２・・・分散電源
３・・・蓄電システム
５・・・一般負荷
８・・・特定負荷
９・・・蓄電池
１０・・・双方向変換装置
【図１】
0006673493.tif 000002
【図２】
0006673493.tif 000003
【図３】
0006673493.tif 000004
【図４】
0006673493.tif 000005
【図５】
0006673493.tif 000006